(57)【要約】【課題】蓄光釣具への蓄光作業において、効率の高い蓄光手段を備えつつ、周囲に光を散らさず、更には頻繁である光源の点灯・消灯動作において使い勝手を向上した実用性の高い蓄光器を提供する。【解決手段】蓄光剤を励起しやすい紫外線ＬＥＤ８と制御回路７と制御回路７に給電する電池とを略円筒形または長溝形の中空部を有する透明ケース１内に収納し、紫外線ＬＥＤ８の光を前記中空部内に照射し、蓄光釣具を中空部に挿入する人為的動作に連動し紫外線ＬＥＤ８を点灯・消灯させる機能を備えた蓄光器。【選択図】図６
2010178665.tif 000002
【特許請求の範囲】
【請求項１】
蓄光釣具を挿入する略円筒形の中空部を有する筐体内に前記蓄光釣具に光を照射する光源を収納し、前記光源の光が前記中空部内に光源を配置し、蓄光釣具を前記中空部に挿入・抜去する人為的動作に連動し前記光源を点灯・消灯させる機能を備えたことを特徴とした蓄光器。
【請求項２】
前記略円筒形の中空部の円筒の一部を切り欠き、長溝形の中空部を形成した請求項１に記載の蓄光器。
【請求項３】
略円筒形の中空部の内面または開口位置付近に、蓄光釣具の挿入・抜去を検知する電気的な非接触検知手段を有する請求項１または２記載の蓄光器。
【請求項４】
略円筒形の中空部の内面または開口位置付近において、中空部内に挿入した蓄光釣具が必然的に接触しうる位置に機械的スイッチを設けた請求項１または２記載の蓄光器。
【請求項５】
中空部の少なくとも一部を透明とし筐体内に位置した光源の光を、前記透明部を通し発光させる構造とした請求項１または２記載の蓄光器。
【請求項６】
前記筐体内に可視光発光手段を有し、前記筐体における中空部の開口位置周辺の一部に前記可視光発光手段の発光窓を設けたことを特徴とする請求項１または２記載の蓄光器。
【請求項７】
前記筐体の外殻の一部に、衣服や鞄、ライフベスト等の身体付帯物への係止手段を設けたことを特徴とする請求項１または２記載の蓄光器。
【請求項８】
前記筐体内に電池を収納し、前記電池によって前記光源に給電することを特徴とした請求項１または２記載の蓄光器。
【請求項９】
前記光源を、蓄光剤を励起しやすい光波長を含む光源とした請求項１または２記載の蓄光器。
【請求項１０】
前記中空部の内面を反射板としたことを特徴とする請求項１または２記載の蓄光器。
【発明の詳細な説明】
【技術分野】
【０００１】
本発明は、夜釣りを中心に多用される疑似餌・ゴム管・蓄光玉等の蓄光釣具に対し光を照射し、効率良く蓄光させる蓄光器に関するものである。
【背景技術】
【０００２】
従来より、疑似餌・ゴム管・蓄光玉などの蓄光釣具に含まれる蓄光剤を励起し蓄光させるには、懐中電灯等の照明器具やキセノン放電管を用いたフラッシュ式蓄光器などの器具が一般的に使われていた。また、それに関連して、蓄光釣糸に対し光を照射する器具として、特許文献１に示されるような糸用蓄光器が有った。
【０００３】
懐中電灯のような照明器具では、蓄光釣具に数十秒〜数分間の時間をかけて光を当てて蓄光させていたため、肝心の魚が釣れる時合いを逃がすことがあった。フラッシュ式蓄光器においては、強力な閃光を発し数秒間ですばやく蓄光させることができるが、閃光を周囲の釣り人に浴びせないように、また、水中の魚に警戒させないように発光部を手で覆うなど、気を遣いながら使用していた。さらに、蓄光釣具の表・裏両面に蓄光させるためには、片面に光を照射した後、裏返しもう片面にも光を照射しなければならない不便さがあった。
【０００４】
また、糸用蓄光器を流用し、糸を挿通する空間に蓄光釣具を挿入して使用することも容易に考えられる。糸用蓄光器の構成によると、蓄光釣具の表裏両面に一度に蓄光させ、周囲に光を洩らさないものとなるが、蓄光釣糸に光を照射するために常時点灯させて使用する機器であるため、電池の消耗が早く長時間の釣りには向かない。蓄光釣具用途に使用する場合は、常時点灯は必要なく、照射する時だけスイッチを入れ、照射が終わればスイッチを切るのが通常の使い方であるが、スイッチの入り、切りが頻繁であるため非常に煩わしい。
【０００５】
一般的な蓄光釣具が明るい発光を持続する時間は総じて３〜５分間のため、仕掛けの巻上げ・投入の都度、頻繁に光を当てて蓄光させる必要があり、その度に暗闇の中で前述の照明器具やフラッシュ蓄光器、糸用蓄光器を道具入れや衣服のポケットから手探りで探し照射作業を行なっていた。
【０００６】
また、これら従来の器具は必ず本体に触れて、機械的スイッチを指で押すか・回すか・引くかなどの操作によって点灯・消灯の動作を行なうため、水しぶきや雨で手が濡れていたりエサや魚を触り手が汚れている時には、自分の衣服を汚したり照明器具や蓄光器を汚したり濡らして壊さぬよう、一旦手を拭いたうえで蓄光作業を行なっていた。
【特許文献１】特開２００６−９４８２０号公報
【発明の開示】
【発明が解決しようとする課題】
【０００７】
前述のとおり、魚が釣れる時合いに素早く蓄光作業をすべく、数秒で十分な蓄光状態が得られる効率の高い蓄光手段と、周囲に不用意に光を散らすことなく安心して使用できる必要がある。更には、常時点灯ではなく必要な時だけに機器を点灯させる使用方法において使い勝手が向上するよう、手が濡れていたり汚れていてもわざわざ手を拭かずとも使用できるような配慮が必要である。以上のような課題を解決し、夜釣り等において頻繁となる蓄光作業に適した実用性の高い蓄光器を提供することを目的とする。
【課題を解決するための手段】
【０００８】
上記目的を達成するために、蓄光釣具を挿入する略円筒形の中空部を有する筐体内に前記蓄光釣具に光を照射する光源を収納し、前記光源の光が前記中空部内に光源を配置し、蓄光釣具を前記中空部に挿入・抜去する人為的動作に連動し前記光源を点灯・消灯させる機能を備えた構成とする。
【発明の効果】
【０００９】
本発明によると、中空部内にて光を照射するため、周囲に不用意に光を散らす心配がない。更には、蓄光釣具を中空部に挿入・抜去する人為的動作に連動して前記光源の点灯・消灯が可能なため、必要な時だけ点灯するので省電力である。また、従来のように機器に直接手を触れてのスイッチ操作が不要で、手が濡れていたり汚れていても手を拭くことなく蓄光作業が可能となる。その結果、仕掛けの再投入が更に素早くでき、魚が釣れる時合いに時間的効率が上がり、好釣果につながる。
【発明を実施するための最良の形態】
【００１０】
上記手段に加えて、前記略円筒形の中空部の、円筒の一部を切り欠き、長溝形の中空部を形成することにより、中空部の上部の開口位置だけでなく切り欠き部からも蓄光釣具を入れることが可能となり、暗闇においても簡単に蓄光釣具を中空部に挿入できる。なお、中空部が長溝形であると中空部内が汚れても拭き取りやすい。
【００１１】
蓄光釣具を前記中空部に挿入・抜去する人為的動作に連動し前記光源を点灯・消灯させる手段としては、略円筒中空部の内面または開口位置付近に、蓄光釣具の挿入・抜去を検知する電気的な非接触検知手段を有する構成にすると、機器に直接手を触れることなく蓄光釣具の挿入・抜去の状態を瞬時に判断し、必要な時のみ点灯させることができるため、手が濡れていたり汚れていてもわざわざ手を拭かずとも使用することができる。
【００１２】
また、同様に人為的動作に連動する手段として、略円筒形の中空部の内面または開口位置付近において、中空部内に挿入した蓄光釣具が必然的に接触しうる位置に機械的スイッチを設けた構成としても良い。中空部に挿入した蓄光釣具が機械的スイッチを操作し、機器に直接手を触れることなく必要な時のみ点灯させることができる。
【００１３】
また、中空部の少なくとも一部を透明とし筐体内に位置した光源の光を、前記透明部を通し発光させる構造とすることにより、光源等の電子部品と水や汚れとの接触を無くし、機器の耐久性を高めると共に中空部が汚れても簡単に拭き取ることができるため、水しぶき、エサや魚の汚れに対し機器本体が壊れにくい構造にすることができる。
【００１４】
また、前記筐体内に可視光発光手段を有し、前記筐体における中空部の開口位置周辺の一部に前記可視光発光手段の発光窓を設けた構成にすることにより、暗闇でも蓄光釣具を挿入する開口位置が一目で分かり、手探りで探すことなく素早く蓄光作業ができる。
【００１５】
また、前記筐体の外殻の一部に、衣服や鞄、ライフベスト等の身体付帯物への係止手段を設けた構成とすると、機器本体を身に付ながら釣りができるので、必要な時に機器本体を探すことなく使用できる。なお、身に付けていると、蓄光作業時に機器を持つ必要がなく両手が自由に使えるので釣竿をわざわざ置く事なく素早く蓄光作業ができる。
【００１６】
また、前記筐体内に電池を収納し、前記電池によって前記光源に給電するのが望ましい。電源一体で携帯性に優れ、釣り現場にて快適に使用できるものである。
【００１７】
また、前記光源を、蓄光剤を励起しやすい光波長を含む光源とすると、限られた電源の容量を効率良く使用し、短い照射時間でも素早く蓄光剤を励起させることができる。
【００１８】
更に、前記中空部の内面を反射鏡等の反射板とすると、蓄光釣具に光を照射する光源の光を中空部内面全体に光を行き渡らせるとともに、蓄光釣具に繰り返し何度も光を照射することと等価となり蓄光効率を向上できる。
【００１９】
以下、本発明の実施の形態について図面を参照しながら説明する。
【００２０】
（実施の形態１）
本発明の実施の形態１として、図１〜図６を用いて説明する。図１は本発明の実施の形態１における蓄光器の外観上面図を示し、図２は図１における蓄光器の背面図である。図３は、図１におけるＡ−Ａの断面図である。図４は、図１におけるＢ−Ｂ断面図である。図５は、図１におけるＣ−Ｃ断面図である。図６は、図３におけるＤ−Ｄ断面図である。
【００２１】
略円筒の側面の一部を切り欠いた長溝形状の中空部２１を有し、透明材料で成形された筐体である透明ケース１の上に外観ケース２を被せ、透明ケースのリブ部１ａ、外観ケースのリブ部２ａを嵌合し両者を固定している。外観ケース２は、透明ケース１における長溝形状の中空部２１はカバーしない形状となっており中空部２１は透明性を確保している。外観ケース２の背面には、衣服や鞄、ライフベスト等の身体付帯物への係止を可能にする係止手段であるクリップ２ｂが一体成形されている。透明ケース１の下面には電池蓋３を配置し、外観ケース２に設けた係止用凸２ｃに、電池蓋３の係止フック部３ａを引っ掛けると共に、透明ケース１の下面端部に埋め込まれたインサートナット１ｂと化粧ビス４の締め込みにより、電池蓋３を透明ケース１下面に固定している。なお、透明ケース１と電池蓋３の間にはゴムパッキン５を挟み水の浸入を防いでいる。
【００２２】
透明ケース１内には、端子盤６を配置し、端子盤６上に制御基板７を配置する。端子盤６上に設置されたプラス端子１０ａ、マイナス端子１０ｂ、連結端子Ａ１０ｃおよび、電池蓋上に配置された連結端子Ｂ１０ｄにより、４本の電池１１が接続され、コード９を介して制御回路７に給電される。
【００２３】
制御基板７には、蓄光手段として、蓄光剤を励起しやすい紫外線領域の光波長を含んだ光源である紫外線発光ダイオード８（以下、紫外線ＬＥＤ８と呼ぶ）がコード９を介して２つ接続され、２つの紫外線ＬＥＤ８は互いに対向する向きにて端子盤６上に固定されている。紫外線ＬＥＤは、近年実用化が急速に進んでいる電子デバイスで、単一の紫外線波長を発生し、可視光では無いため眩しさが無いうえに省電力で発光できるので、本構成の蓄光器において最適な光源である。
【００２４】
また、制御基板７のほぼ中央に赤外発光ＬＥＤ１２とその隣に赤外光を受光する赤外センサー１３を取り付け、この２つの電子部品にて人体または蓄光釣具の接近の検知センサーである非接触検知手段を形成している。これにより、蓄光釣具を挿入する人為的動作に連動して紫外線ＬＥＤ８の点灯が可能となる。
【００２５】
そして、透明ケースの中空部２１の範囲に反射鏡等の反射板１７を設置し、紫外線ＬＥＤ８、赤外発光ＬＥＤ１２、赤外センサー１３の前方は反射板に穴を開け、透明部である紫外線ＬＥＤ発光窓１７ａを２箇所、センサー窓１７ｂを１箇所形成している。反射板１７により、紫外線ＬＥＤ８から発せられた光は、略均等に中空部２１全体に広がるとともに蓄光釣具に繰り返し光を照射する効果がある。
【００２６】
更に、制御基板７上に、中空部２１の開口位置を使用者に知らせるための発光手段として、可視光発光手段である可視光ＬＥＤ１４を配置している。ここで開口位置とは、透明ケース１の上面において円弧状に見えてなる、中空部２１への入口部分のことである。透明ケース１の上面に、中空部２１の開口位置の形状に沿い円弧形状の発光窓である凸窓１
ｂを設け、外観ケース２の上面を突き抜けて外観に突出させている。これにより、可視光ＬＥＤ１４の光が凸窓１ｂを透過し中空部２１の開口位置を外観に表示する。なお、この蓄光器の実際の使い方を想定すると、紫外線ＬＥＤ８を点灯させる時間より可視光ＬＥＤ１４を点灯させる時間が圧倒的に長く、その分可視光ＬＥＤ１４を省電力とする必要がある。通常、本実施の形態１で用いるような砲弾型のＬＥＤの定格点灯電流値は２０ｍＡ程度であるが、可視光ＬＥＤ１４は、約１／４程度の５ｍＡ程度で点灯させて問題ない。身に付けて使用するので柔らかな弱い光での表示で十分である。なお、小ＬＥＤ５は常時点灯に限定せず点滅としても良く、点滅にすると消費電力を極端に低く抑えることができる。
【００２７】
更に、制御回路７への給電を入・切するメインスイッチ１５は制御基板７の上端に位置し、図４に示すように、透明ケース１と外観ケース２に気密に挟み込まれたスイッチゴム１６を外から指で押すことにより操作できるよう構成している。
【００２８】
上記構成における動作説明を行なう。スイッチゴム１６を押しメインスイッチ１５をＯＮにすると回路は動作状態となり、まず中空部２１の開口位置を知らせる凸窓１ｂが点灯し、蓄光手段の紫外線ＬＥＤ８は消灯となっている。
【００２９】
次に、人体および蓄光釣具の接近を検知する検知センサーの仕組みを説明する。赤外発光ＬＥＤ１２は常時発光しており、人間の手や蓄光釣具などの可反射物が赤外発光ＬＥＤ１２の前方に接近してくると、赤外発光ＬＥＤ１２から出た赤外光がその手などに反射し、赤外発光ＬＥＤ１２の隣に位置する赤外センサー１３に入射する仕組みとなっている。なお、赤外発光ＬＥＤ１２と赤外センサー１３の間に黒色隔壁１８を設けることにより反射光のみを検知する構造となっており赤外センサー１３の誤動作を防止している。そのため、センサー窓１７ｂの正面に手や蓄光釣具などの可反射物が近づけば近づくほどに、赤外センサー１３への赤外線の入射量が増える。赤外センサー１３は、赤外光の入射量に応じて端子電圧が変化する半導体素子を使用し赤外光の入射量を検知しており、赤外センサー１３への赤外線入射量がある一定の値を超えると制御回路が働き、蓄光手段の紫外線ＬＥＤ８が点灯するよう回路構成されている。このセンサー構成によると、赤外発光ＬＥＤ１２の発光強度と赤外センサー１３の受光感度の調整にて紫外線ＬＥＤ８が点灯する検知距離を精度良く設計できるうえ、赤外発光ＬＥＤ１２が正面に指向性を持っているためセンサー窓１７ｂのぼぼ正面に検知範囲をしぼることができる。本実施の形態１では、釣りの途中に蓄光器本体の前を自分の腕や釣竿が横切ることを想定し、センサー窓１７ｂの正面から中空部２１内の範囲まで手や蓄光釣具が近づくと点灯が切り替わるよう設定している。検知範囲があまり広すぎると、意図しない誤検知が起こりやすく好ましくない。なお、赤外発光ＬＥＤ１２は、制御回路７により２〜３Ｈｚの間欠発光としても反応動作に不具合は無く、消費電力は極端に低く抑えることができる。
【００３０】
その後、蓄光手段の紫外線ＬＥＤ８での蓄光作業を終えると、紫外線ＬＥＤ８は電池消費を抑えるため消灯する必要がある。消灯は、手や蓄光釣具などの可反射物をセンサー窓１７ｂより遠ざけて数秒の経過後に消灯するよう、制御回路７の働きでタイマー制御すれば良い。
【００３１】
以上のように、蓄光器本体を身に付けて使用することで蓄光器を探すことなく、開口位置の円弧状の発光表示に従い蓄光器の中空部２１に蓄光釣具を挿入しようとする人為的動作に連動して蓄光効率の高い紫外線ＬＥＤ８が点灯し素早く蓄光作業に移ることができる。また、中空部２１内の略均等に紫外線ＬＥＤ８の光が照射されているので、蓄光釣具の挿入方向に関わらず、表・裏を一挙に蓄光できる。更に作業を終えて蓄光釣具を中空部から抜き去ると、数秒後に紫外線ＬＥＤ８は消灯するので、素早く釣りを再開できる。
【００３２】
また、構造面からはゴムパッキン５などの組合せにより防水構造としているので、雨や海水がかかる場所でも安心して使うことができる。なお、本実施の形態１では、蓄光釣具の挿入しやすさ、汚れの拭き取りやすさと検知センサーの確実動作のため長溝形を選択したが、蓄光効率を更に追求するため、長溝の切り欠き部幅を狭めたり切り欠きの無い円筒としても良いことは言うまでも無い。
（実施の形態２）
【００３３】
以下、本発明の実施形態２として、図７〜図１０を用いて説明する。
【００３４】
図７は本発明の実施形態２における蓄光器の外観上面図を示し、図８は図７におけるＥ−Ｅの断面図である。図９は、図７におけるＦ−Ｆ断面図である。図１０は、図８におけるＧ−Ｇ断面図である。
【００３５】
実施の形態１と類似の構造であるため、異なる部分のみを説明する。本実施の形態２では、透明ケース１の中空部を切り欠きの無い略円筒形とし、紫外線ＬＥＤ８を制御基板上に１個、制御基板７からコード９を引き出し、端子盤６上に３個とし、合計４個を９０度間隔に設置している。本実施の形態２のように、紫外線ＬＥＤ８を多数個使用することでその光が略均等に中空部２１全体広がる場合は、必ずしも反射板１７を使用する必要は無い。
【００３６】
本実施の形態２では、蓄光釣具の挿入動作に連動して紫外線ＬＥＤ８を点灯させるため、実施の形態１とは別の方法を取り、機械的スイッチとして中空部の開口位置の近傍に斜面スイッチ板１９を新たに設けた。ここで開口位置とは、透明ケース１の上面において略円形に見えてなる、中空部への入口のことである。
【００３７】
斜面スイッチ板１９は、回動軸１９ａ、１９ｂが透明ケース１に嵌め込まれており、斜面スイッチ板１９を外部から押すと、斜面スイッチ板１９の真裏に設置された点灯スイッチ２０が押下され、紫外線ＬＥＤ８が点灯する仕組みである。紫外線ＬＥＤ８は、制御回路７の働きで点灯スイッチ押下後、一定時間が経過すれば消灯するようタイマー制御されている。具体的には、蓄光時間を考慮し約１０秒後に消灯する設定とするのが望ましい。
【００３８】
また、制御基板７上に、中空部の開口位置を使用者に知らせるための発光手段として、可視光ＬＥＤ１４を配置している。前記、斜面スイッチ板１９を、透明樹脂に拡散剤を練り込んだ乳白色とすることで、斜面スイッチ板１９自体が発光し使用者に開口位置を知らせることができる。なお、点灯スイッチ２０は、１秒以上の長押しを行なった場合に制御回路７への給電を入・切する指示とし、１秒以下の短押しを行なった場合は紫外線ＬＥＤ８の点灯指示とするよう制御基板７にプログラミングすればスイッチ設置は１個で済む。
【００３９】
この構成によると、暗闇においては、発光する斜面スイッチ板１９を目標として蓄光釣具を挿入するので、蓄光釣具は確実に斜面スイッチ板１９をとらえ、蓄光釣具を挿入する動作に連動し蓄光釣具自体で斜面スイッチ板１９を押すので、従来のように蓄光器本体に手を触れてスイッチを入れる必要がなく、タイマーで消灯するので素早く釣りを再開できるものである。
【００４０】
なお、図示による説明は省略するが、斜面スイッチ板１９に相当する機械的スイッチを中空部２１の底面に位置させ、底面に蓄光釣具が着けば点灯、離れれば消灯という構成にしても良い。以上のように、人為的動作に連動させた機械的スイッチ操作による点灯も本発明に含まれることはいうまでもない。
【産業上の利用可能性】
【００４１】
本発明によると、蓄光器本体を探すことなく、中空部に蓄光釣具を挿入するだけで蓄光釣具の表・裏両面に素早く蓄光することができる。しかも、手が汚れていても気にせず使用できるなど実用性の高い蓄光器を広く提供することができる。蓄光作業効率の高さから、釣りだけでなく漁業への利用も期待できる。
【図面の簡単な説明】
【００４２】
【図１】本発明の実施の形態１における蓄光器の外観上面図
【図２】同実施の形態１における蓄光器の外観背面図
【図３】図１に示すＡ−Ａの断面図
【図４】図１に示すＢ−Ｂの断面図
【図５】図１に示すＣ−Ｃの断面図
【図６】図３に示すＤ−Ｄの断面図
【図７】本発明の実施の形態２における蓄光器の外観上面図
【図８】図７に示すＥ−Ｅの断面図
【図９】図７に示すＦ−Ｆの断面図
【図１０】図８に示すＧ−Ｇ断面図
【符号の説明】
【００４３】
１      透明ケース（筐体）
１ａ    透明ケースのリブ部
１ｂ    凸窓（発光窓）
２      外観ケース
２ａ    外観ケースのリブ部
２ｂ    クリップ（係止手段）
２ｃ    係止用凸
３      電池蓋
３ａ    係止フック部
４      化粧ビス
５      ゴムパッキン
６      端子盤
７      制御基板
８      紫外線ＬＥＤ（光源）
９      コード
１０ａ  プラス端子
１０ｂ  マイナス端子
１０ｃ  連結端子Ａ
１０ｄ  連結端子Ｂ
１１    電池
１２    赤外発光ＬＥＤ（非接触検地手段）
１３    赤外センサー（非接触検知手段）
１４    可視光ＬＥＤ（可視光発光手段）
１５    メインスイッチ
１６    スイッチゴム
１７    反射板
１７ａ  紫外線ＬＥＤ発光窓（透明部）
１７ｂ  センサー窓
１８    黒色隔壁
１９    斜面スイッチ板（機械的スイッチ）
２０    点灯スイッチ
２１    中空部
【図１】
2010178665.tif 000003
【図２】
2010178665.tif 000004
【図３】
2010178665.tif 000005
【図４】
2010178665.tif 000006
【図５】
2010178665.tif 000007
【図６】
2010178665.tif 000008
【図７】
2010178665.tif 000009
【図８】
2010178665.tif 000010
【図９】
2010178665.tif 000011
【図１０】
2010178665.tif 000012